(57)【特許請求の範囲】
【請求項１】
互いの視野の左右方向の一端部同士が重なりを有する３次元画像用の２つの画像データを所定の領域を切り出して重ねた合成画像を表示する表示部と、
前記表示部の表示画面上に設けられ、外部から接触する物体の位置に応じた信号の入力を受け付けるタッチパネルと、
前記表示部が表示する前記合成画像に含まれる被写体に対し、前記タッチパネルに接触した２つの物体の軌跡の開閉動作に応じて、前記２つの画像データに対応する２つの画像それぞれの切り出し領域を変更することによって、前記合成画像に含まれる被写体の視差を調整する視差調整部と、
前記視差調整部が調整した前記合成画像を前記表示部に表示させる制御を行う表示制御部と、
を備えたことを特徴とする表示装置。
【請求項２】
前記表示制御部は、前記被写体の視差に関する視差情報を前記表示部に表示させる制御を行うことを特徴とする請求項１に記載の表示装置。
【請求項３】
前記表示制御部は、前記被写体の視差が所定の視差を超えた場合、前記表示部に警告を表示させる制御を行うことを特徴とする請求項１または２に記載の表示装置。
【請求項４】
前記表示制御部は、前記被写体の視差が所定の視差を超えた場合、前記被写体の視差を前記所定の視差に固定して前記表示部に表示させる制御を行うことを特徴とする請求項１〜３のいずれか一つに記載の表示装置。
【請求項５】
前記表示制御部は、前記合成画像に換えて前記２つの画像データを、前記表示画面における水平方向の１画素毎に交互に並べて前記表示部に出力する制御を行うことによって、３次元画像を前記表示部に表示させることを特徴とする請求項１〜４のいずれか一つに記載の表示装置。
【請求項６】
異なる位置から撮影し、互いの視野の左右方向の一端部同士が重なりを有する２つの画像データを生成する撮像部と、
前記撮像部が生成した前記２つの画像データに対応する２つの画像に対し、所定の縦横比率で切出して３次元画像を生成する立体画像生成部と、
前記立体画像生成部が生成した前記３次元画像を合成して前記合成画像を生成する合成画像生成部と、
をさらに備え、
前記表示制御部は、前記タッチパネルが受け付けた信号に応じて、前記合成画像生成部が生成する前記合成画像または前記立体画像生成部が生成した前記３次元画像を前記表示部に表示させる制御を行うことを特徴とする請求項１〜５のいずれか一つに記載の表示装置。
【請求項７】
前記視差調整部が調整した前記被写体の視差を前記２つの画像データのヘッダ情報として生成するヘッダ情報生成部と、
前記撮像部が生成する複数の画像データと前記ヘッダ情報生成部が生成するヘッダ情報とを対応付けて記憶する記憶部と、
前記記憶部が記憶する前記ヘッダ情報を参照して、視差ごとに画像データをまとめて分類した分類画像を生成する分類画像生成部と、
をさらに備え、
前記表示制御部は、前記タッチパネルを介して視差管理信号が入力された場合、前記分類画像を前記表示部に表示させる制御を行うことを特徴とする請求項６に記載の表示装置。
【発明の詳細な説明】
【技術分野】
【０００１】
本発明は、互いの視野の左右方向の一端部同士が重なりを有する２つの画像データを用いて３次元画像を表示する表示装置に関する。
【背景技術】
【０００２】
近年、同一の被写体に対してデジタルステレオカメラを用いて撮影することによって複数の画像データを取得し、この取得した複数の画像データに含まれる被写体の視差を利用することにより、ユーザが立体的に見ることができる３次元画像（以下「３Ｄ画像」という）を表示する表示装置が知られている。
【０００３】
このような表示装置において、３Ｄ画像の奥行き感を調整することができる技術が知られている（特許文献１参照）。この技術では、ユーザがデジタルステレオカメラの左右の光軸の輻輳角を手動で調整して被写体を撮影することにより、所望の奥行き感を有する３Ｄ画像を表示モニタに表示させる。
【先行技術文献】
【特許文献】
【０００４】
【特許文献１】特開平１０−６６１０６号公報
【発明の概要】
【発明が解決しようとする課題】
【０００５】
ところで、従来の表示装置では、ユーザ自身の経験に基づいて、３Ｄ画像の変化量を間接的な操作により調整していた。このため、所望の奥行き感を持った３Ｄ画像に調整することが難しかった。
【０００６】
本発明は、上記に鑑みてなされたものであって、直感的な操作により３Ｄ画像の変化量を容易に調整することができる表示装置を提供することを目的とする。
【課題を解決するための手段】
【０００７】
上述した課題を解決し、目的を達成するために、本発明に係る表示装置は、互いの視野の左右方向の一端部同士が重なりを有する２つの画像データを重ねた合成画像を表示する表示部と、前記表示部の表示画面上に設けられ、外部から接触する物体の位置に応じた信号の入力を受け付けるタッチパネルと、前記表示部が表示する前記合成画像に対し、前記タッチパネルに接触した物体の軌跡に応じて前記合成画像に含まれる被写体の視差を調整する視差調整部と、前記視差調整部が調整した前記合成画像を前記表示部に表示させる制御を行う表示制御部と、を備えたことを特徴とする。
【０００８】
また、本発明に係る表示装置は、上記発明において、前記合成画像は、前記２つの画像データそれぞれを所定の領域で切出して重ねた画像であり、前記視差調整部は、前記２つの画像データの切出し領域を変更することを特徴とする。
【０００９】
また、本発明に係る表示装置は、上記発明において、前記表示制御部は、前記合成画像に含まれる被写体の視差に関する視差情報を前記表示部に表示させる制御を行うことを特徴とする。
【００１０】
また、本発明に係る表示装置は、上記発明において、前記表示制御部は、前記合成画像に含まれる被写体の視差が所定の視差を超えた場合、前記表示部に警告を表示させる制御を行うことを特徴とする。
【００１１】
また、本発明に係る表示装置は、上記発明において、前記表示制御部は、前記合成画像に含まれる被写体の視差が所定の視差を超えた場合、前記被写体の視差を前記所定の視差に固定して前記表示部に表示させる制御を行うことを特徴とする。
【００１２】
また、本発明に係る表示装置は、上記発明において、前記表示制御部は、前記合成画像に換えて前記２つの画像データを、前記表示画面における水平方向の１画素毎に交互に並べて前記表示部に出力する制御を行うことによって、３次元画像を前記表示部に表示させることを特徴とする。
【００１３】
また、本発明に係る表示装置は、上記発明において、異なる位置から撮影し、互いの視野の左右方向の一端部同士が重なりを有する２つの画像データを生成する撮像部と、前記撮像部が生成した前記２つの画像データに対応する２つの画像に対し、所定の縦横比率で切出して前記３次元画像を生成する立体画像生成部と、前記立体画像生成部が生成した前記３次元画像を合成して前記合成画像を生成する合成画像生成部と、をさらに備え、前記表示制御部は、前記タッチパネルが受け付けた信号に応じて、前記合成画像生成部が生成する前記合成画像または前記立体画像生成部が生成した前記３次元画像を前記表示部に表示させる制御を行うことを特徴とする。
【００１４】
また、本発明に係る表示装置は、上記発明において、前記視差調整部が調整した前記合成画像に含まれる被写体の視差を前記２つの画像データのヘッダ情報として生成するヘッダ情報生成部と、前記撮像部が生成する複数の画像データと前記ヘッダ情報生成部が生成するヘッダ情報とを対応付けて記憶する記憶部と、前記記憶部が記憶する前記ヘッダ情報を参照して、視差ごとに画像データをまとめて分類した分類画像を生成する分類画像生成部と、をさらに備え、前記表示制御部は、視差管理信号に応じて前記分類画像を前記表示部に表示させる制御を行うことを特徴とする。
【発明の効果】
【００１５】
本発明に係る表示装置は、視差調整部が表示部によって表示される合成画像に対し、タッチパネルに接触した物体の軌跡に応じて、表示部が表示する合成画像に含まれる被写体の視差を調整し、表示制御部が視差調整部によって調整された合成画像を表示部に表示させる制御を行う。これにより、ユーザは表示部が表示する画像を見ながら直感的な操作により３Ｄ画像の変化量を調整することができるという効果を奏する。
【図面の簡単な説明】
【００１６】
【図１】図１は、本発明の一実施の形態に係る表示装置の構成を示すブロック図である。
【図２】図２は、本発明の一実施の形態に係る表示装置が備える表示部の概略構成を示す模式図である。
【図３】図３は、本発明の一実施の形態に係る表示装置が備える撮像部が互いの視野の左右方向の一端部同士が重なりを有する２つの画像データを生成する際の状況を示す模式図である。
【図４】図４は、図３に示す状況下で撮像部が被写体に対して互いの視野の左右方向の一端部同士が重なりを有する２つの画像データに対応する画像の一例を示す図である。
【図５】図５は、図３に示す状況下で撮像部が生成した右目画像と左目画像とを仮想的に重ねた画像の一例を示す図である。
【図６】図６は、図３に示す状況下で撮像部と被写体との撮影距離の関係を示す図である。
【図７】図７は、本発明の一実施の形態に係る表示装置が備える視差調整部が行う処理の概要を示す模式図である。
【図８】図８は、本発明の一実施の形態に係る表示装置が備える合成画像生成部によって生成された右目画像と左目画像とを合成した合成画像の一例を示す図である。
【図９】図９は、本発明の一実施の形態に係る表示装置が備える視差調整部によって調整された右目画像と左目画像とを合わせたユーザが認識する仮想的な３Ｄ画像の一例を示す図である。
【図１０】図１０は、本発明の一実施の形態に係る表示装置が行う処理の概要を示すフローチャートである。
【図１１】図１１は、図１０の視差調整処理の概要を示すフローチャートである。
【図１２】図１２は、ユーザによって合成画像内に含まれる被写体の視差を大きくする動作を説明する図である。
【図１３】図１３は、本発明の一実施の形態に係る表示装置が備える表示部が表示する画像の一例を示す図である。
【図１４】図１４は、本発明の一実施の形態に係る表示装置が備える表示部が表示する画像の一例を示す図である。
【図１５】図１５は、ユーザによって合成画像内に含まれる被写体の視差を小さくする動作を説明する図である。
【図１６】図１６は、図１０の再生表示処理の概要を示すフローチャートである。
【図１７】図１７は、本発明の一実施の形態に係る表示装置が備える表示部が表示する分類画像の一例を示す図である。
【図１８】図１８は、本発明の一実施の形態に係る変形例において視差調整部が２タッチパネルにおける外部からの２つの軌跡に応じて被写体の視差を調整する調整方法を説明する図である。
【発明を実施するための形態】
【００１７】
以下に、図面を参照して、本発明を実施するための形態（以下、「実施の形態」という）について説明する。なお、以下に説明する実施の形態によって本発明が限定されるものではない、また、図面の記載において、同一の部分には同一の符号を付している。
【００１８】
図１は、本発明の一実施の形態に係る表示装置の構成を示すブロック図である。本実施の形態では、表示装置を搭載したデジタルステレオカメラを例に挙げて説明する。図１に示すように、異なる位置から撮影し、互いの視野の左右方向の一端部同士が重なりを有する２つの画像データを生成する撮像部２と、表示装置１の姿勢を検出する姿勢検出部３と、表示装置１の各種情報の入力を受け付ける操作入力部４と、撮影日時の判定機能やタイマー機能を有する時計５と、２次元画像（以下、「２Ｄ画像」という）または３Ｄ画像を表示する表示部６と、外部からの接触位置や軌跡に応じた信号の入力を受け付けるタッチパネル７と、撮像部２によって生成された画像データを含む各種情報を記憶する記憶部８と、表示装置１の動作を制御する制御部９と、を備える。
【００１９】
撮像部２は、第１撮像部２１と第２撮像部２２とを有する。第１撮像部２１および第２撮像部２２は、互いの光軸Ｌ１，Ｌ２が平行または所定の角度をなすように同一平面上に並設される。
【００２０】
第１撮像部２１は、レンズ部２１ａと、レンズ駆動部２１ｂと、絞り２１ｃと、絞り駆動部２１ｄと、シャッタ２１ｅと、シャッタ駆動部２１ｆと、撮像素子２１ｇと、信号処理部２１ｈとを有する。レンズ部２１ａは、フォーカスレンズやズームレンズ等によって構成され、所定の視野領域からの光を集光する。レンズ駆動部２１ｂは、ＤＣモータ等によって構成され、レンズ部２１ａのフォーカスレンズやズームレンズ等を光軸Ｌ１上で移動させることにより、レンズ部２１ａのピント位置や焦点距離の変更を行う。絞り２１ｃは、レンズ部２１ａが集光した光の入射量を制限することにより露出の調整を行う。絞り駆動部２１ｄは、ステッピングモータ等によって構成され、絞り２１ｃを駆動する。シャッタ２１ｅは、撮像素子２１ｇの状態を露光状態または遮光状態に設定する。シャッタ駆動部２１ｆは、ステッピングモータ等によって構成され、レリーズ信号に応じてシャッタ２１ｅを駆動する。撮像素子２１ｇは、レンズ部２１ａが集光した光を受光して電気信号（アナログ信号）に変換するＣＣＤ（Charge  Coupled  Device）やＣＭＯＳ（Complementary  Metal  Oxide  Semiconductor）等によって実現され、変換した電気信号を信号処理部２１ｈに出力する。信号処理部２１ｈは、撮像素子２１ｇから出力される電気信号に増幅等の信号処理を施した後、Ａ／Ｄ変換を行うことによってデジタルの画像データに変換して制御部９に出力する。
【００２１】
第２撮像部２２は、第１撮像部２１と同一の構成によって実現され、レンズ部２２ａと、レンズ駆動部２２ｂと、絞り２２ｃと、絞り駆動部２２ｄと、シャッタ２２ｅと、シャッタ駆動部２２ｆと、撮像素子２２ｇと、信号処理部２２ｈとを有する。
【００２２】
姿勢検出部３は、加速度センサによって構成され、表示装置１の加速度を検出することにより、表示装置１の姿勢状態を検出する。具体的には、姿勢検出部３は、水平面を基準としたときの表示装置１の姿勢を検出する。
【００２３】
操作入力部４は、表示装置１の電源状態をオン状態またはオフ状態に切換える電源スイッチ４１と、静止画撮影の指示を与えるレリーズ信号を入力するレリーズスイッチ４２と、表示装置１の各種撮影モードや各種設定の切換える切換スイッチ４３と、撮像部２のズーム操作を行うズームスイッチ４４とを有する。
【００２４】
時計５は、表示装置１の動作の基準となる時間信号を生成する。これにより、制御部９は、画像データの取得時間や撮像素子２１ｇ，２２ｇの露光時間等を設定することができる。
【００２５】
図２は、表示部６の概略構成を示す模式図である。図２に示すように、表示部６は、バックライト６１と、表示パネル６２と、視差バリア６３とを有する。バックライト６１は、ＬＥＤ（Light  Emitting  Diode）等によって構成され、画像を表示するための光を背面から照射する。表示パネル６２は、液晶または有機ＥＬ（Electro  Luminescence）等の表示パネルによって構成される。視差バリア６３は、液晶等によって構成され、表示パネル６２の上面に積層される。視差バリア６３は、表示パネル６２の各画素の間隔よりも狭い間隔でスリットが設けられ、ユーザの右目Ｏ１と左目Ｏ２とにそれぞれ対応した画像を分離する。また、本実施の形態では、視差バリア６３は、パララックバリア方式が適用される。なお、本実施の形態では、レンティキュラレンズを積層したレンズシートを視差バリア６３に換えて表示パネル６２の上面に積層するようにしてもよい。
【００２６】
以上の構成を有する表示部６は、制御部９から３Ｄ画像データが入力された場合、制御部９の制御のもと表示パネル６２が左端の画素から水平方向に右目画像と左目画像との順で交互に表示し、視差バリア６３が表示パネル６２の各画素から出た光を分離する。このため、右目画像が右目Ｏ１のみ、左目画像が左目Ｏ２のみにそれぞれ届く。これにより、ユーザは、表示部６が表示する３Ｄ画像を立体視することができる。また、表示部６は、表示態様を３Ｄ画像から２Ｄ画像に切換える場合、視差バリア６３に印加される電圧がオン状態からオフ状態になることによって、視差バリア６３が遮光状態から透過状態になり、右目画像または左目画像のどちらか一方が表示パネル６２に出力されることで２Ｄ画像を表示することができる。
【００２７】
タッチパネル７は、表示部６の表示画面上に重ねて設けられる。タッチパネル７は、ユーザが表示部６で表示される情報や画像に基づいて接触した（タッチ）した位置や軌跡を検出し、この接触位置や軌跡に応じた操作信号の入力を受け付ける。一般に、タッチパネルとしては、抵抗膜方式、静電容量方式、光学式等がある。本実施の形態では、いずれの方式のタッチパネルであっても適用可能である。
【００２８】
記憶部８は、撮像部２が撮影した画像データを記憶する画像データ記憶部８１と、表示装置１が実行する各種プログラムを記憶するプログラム記憶部８２と、表示部６が表示する３Ｄ画像の快適視差範囲を記憶した視差記憶部８３とを有する。記憶部８は、表示装置１の内部に固定的に設けられるフラッシュメモリやＲＡＭ（Random  Access  Memory）等の半導体メモリを用いて実現される。なお、記憶部８に対し、外部から装着されるメモリカード等の記憶媒体に対して情報を記憶する一方、記憶媒体が記憶する情報を読み出す記録媒体インターフェースとしての機能を具備させてもよい。
【００２９】
制御部９は、ＣＰＵ（Central  Processing  Unit）等によって実現される。制御部９は、操作入力部４からの操作信号等に応じて記憶部８のプログラム記憶部８２からプログラムを読み出して実行し、表示装置１を構成する各部に対する指示やデータの転送等を行って表示装置１の動作を統括的に制御する。制御部９は、画像処理部９１と、立体画像生成部９２と、合成画像生成部９３と、視差調整部９４と、表示制御部９５と、ヘッダ情報生成部９６と、分類画像生成部９７とを有する。
【００３０】
画像処理部９１は、信号処理部２１ｈ，２２ｈからそれぞれ出力された左目画像データおよび右目画像データに対して各種の画像処理を施して記憶部８の画像データ記憶部８１に出力する。具体的には、画像処理部９１は、信号処理部２１ｈ，２２ｈからそれぞれ出力された左目画像データおよび右目画像データに対してエッジ強調、色補正およびγ補正等の処理を施す。
【００３１】
立体画像生成部９２は、画像処理部９１によって画像処理された左目画像データおよび右目画像データそれぞれに対し、所定の縦横比率、たとえばアスペクト比３：４で切出すことによって３Ｄ画像を生成する。なお、立体画像生成部９２が左目画像データおよび右目画像データそれぞれから切出す縦横比率は、切換スイッチ４３で設定するようにしてもよい。
【００３２】
合成画像生成部９３は、立体画像生成部９２が生成した左目画像と右目画像とを重ねた合成画像を生成する。具体的には、合成画像生成部９３は、左目画像の画像領域内で鮮鋭度が最大となる領域と右目画像の画像領域内で鮮鋭度が最大となる領域とを一致させて重ねることにより合成画像を生成する。これにより、合成画像生成部９３は、左目画像および右目画像それぞれの画像領域内でピントが合った被写体を基準にした合成画像を生成することができる。
【００３３】
視差調整部９４は、表示部６が表示する合成画像に対し、タッチパネル７に接触した物体の軌跡に応じて、立体画像生成部９２による左目画像データおよび右目画像データそれぞれの切出し領域を変更して合成画像に含まれる被写体の視差を調整する。具体的には、視差調整部９４は、合成画像内で左目画像と右目画像とがそれぞれ重なっている左右方向の一端部の領域に対し、タッチパネル７に接触した物体の軌跡に応じて、たとえば右目画像の領域を右方向にずらすことで合成画像に含まれる被写体の視差を調整する。
【００３４】
表示制御部９５は、３Ｄ画像または２Ｄ画像を表示部６に表示させる制御を行う。具体的には、表示制御部９５は、表示部６に３Ｄ画像を表示させる場合、立体画像生成部９２が生成した３Ｄ画像の左目画像と右目画像とを表示部６の表示画面における水平方向の１画素毎に交互に並べた３Ｄ画像を表示部６に出力する制御を行う。これに対して、表示制御部９５は、表示部６に２Ｄ画像を表示させる場合、表示部６の視差バリア６３を遮光状態から透過状態にするため、視差バリア６３に印加する電源をオン状態からオフ状態にするとともに、左目画像または右目画像どちらか一方のみを表示パネル６２に出力する制御を行う。さらに、表示制御部９５は、視差調整部９４が調整した合成画像および合成画像に含まれる被写体の視差に関する視差情報を表示部６に表示させる制御を行う。また、表示制御部９５は、視差調整部９４が調整した合成画像に含まれる被写体の視差が所定の視差を超えた場合、表示部６に警告を表示させる制御を行うとともに、合成画像に含まれる被写体の視差を所定の視差に固定して表示させる制御を行う。
【００３５】
ヘッダ情報生成部９６は、視差調整部９４が調整した合成画像に含まれる被写体の視差を２つの画像データのヘッダ情報として生成し、撮像部２が生成する画像データに対応付けて画像データ記憶部８１に記憶させる。
【００３６】
分類画像生成部９７は、画像データ記憶部８１が記憶するヘッダ情報を参照して、視差ごとに画像データをまとめて分類した分類画像を生成する。
【００３７】
以上の構成を有する表示装置１において、撮像部２が互いの視野の左右方向の一端部同士が重なりを有する２つの画像データを生成する際の状況について説明する。図３は、撮像部２が、互いの視野の左右方向の一端部同士が重なりを有する２つの画像データを生成する際の状況を示す模式図である。図４は、図３に示す状況下で撮像部２が生成する２つの画像データにそれぞれ対応する２つの画像の一例を示す図である。図４において、図４の画像ＷＲ１が、立体画像生成部９２が第１撮像部２１によって生成された右目画像データに対応する画像から切出して生成した右目画像であり、図４の画像ＷＬ１が、立体画像生成部９２が第２撮像部２２によって生成された左目画像データに対応する画像から切出して生成した左目画像である。図５は、図３に示す状況下で立体画像生成部９２が生成した右目画像と左目画像とを仮想的に重ねた画像の一例を示す図である。図６は、図３に示す状況下で撮像部２と被写体との撮影距離の関係を示す図である。図６では、横軸が左端を原点としたときの画像Ｗ１内の被写体位置であり、縦軸が撮像部２と被写体との距離である。なお、図４および図５において、破線および一点差線が第１撮像部２１および第２撮像部２２がそれぞれ生成する画像データに対応する画像領域を示す。
【００３８】
図３に示すように、撮像部２は、撮像部２からの距離が異なる被写体Ａ１（距離ｄ１）および被写体Ａ２（距離ｄ２）に対して、距離Ｂ１離れて並設された第１撮像部２１および第２撮像部２２で撮影することにより、右目画像データと左目画像データとを生成する。その後、立体画像生成部９２が、第１撮像部２１および第２撮像部２２によって生成された右目画像データおよび左目画像データそれぞれを所定の縦横比率で切出して右目画像ＷＲ１および左目画像ＷＬ１を生成する。具体的には、立体画像生成部９２は、右目画像ＷＲ１と左目画像ＷＬ１とを生成する（図４を参照）。図６に示すように、撮像部２と被写体Ａ２との距離は、撮像部２と被写体Ａ１との距離より大きい。このため、被写体Ａ２の領域がほぼ重なる。具体的には、図５に示すように、画像Ｗ１内では、被写体Ａ２の領域がほぼ重なる。一方、被写体Ａ１の領域は重ならない（視差ａ１）。このように、右目画像ＷＲ１と左目画像ＷＬ１では、撮像部２からの距離が近い被写体（被写体Ａ１）ほど画像内での視差が大きく、撮像部２からの距離が遠い被写体（被写体Ａ２）ほど画像内での視差が小さい。
【００３９】
つぎに、視差調整部９４が行う処理の概要について説明する。図７は、視差調整部９４が行う処理の概要を示す模式図である。図７において、図７（ａ）の画像ＷＲ２１および図７（ｂ）の画像ＷＲ２２が、立体画像生成部９２が第１撮像部２１によって生成された右目画像データから所定の縦横比率で切出して生成した右目画像である。また、図７（ａ）の画像ＷＬ２１および図７（ｂ）の画像ＷＬ２２が、立体画像生成部９２が第２撮像部２２によって生成された左目画像データから所定の縦横比率で切出した生成した左目画像である。さらに、図８の画像Ｗ２が、合成画像生成部９３が立体画像生成部９２によって生成された右目画像と左目画像とを合成した合成画像の一例を示す図である。図９は、視差調整部９４によって調整された右目画像と左目画像とを合わせたユーザが認識する仮想的な３Ｄ画像の一例を示す図である。なお、図７および図８においては、破線および一点差線が第１撮像部２１および第２撮像部２２がそれぞれ生成する画像データに対応する画像領域を示す。
【００４０】
図７に示すように、視差調整部９４は、表示部６が表示する合成画像に対し、タッチパネル７に接触した物体の軌跡に応じて、立体画像生成部９２が右目画像データおよび左目画像データからそれぞれ切出して生成する右目画像および左目画像の切出し領域を変更して被写体の視差を調整する。これにより、視差調整部９４は、被写体が表示部６の表示画面と直交する垂直な方向に仮想的に飛び出す距離（以下「飛び出し距離」という）または引っ込む距離（以下、「引っ込み距離」という）を調整することができる。具体的には、視差調整部９４は、被写体Ａ１を表示部６の表示画面と直交する垂直な方向に仮想的に飛び出せる場合、右目画像ＷＲ１と左目画像ＷＬ１とに含まれる被写体Ａ１の視差（領域の重なり具合）を大きくすることにより、被写体Ａ１の飛び出し距離を調整する（図５の画像Ｗ１を参照）。これに対して、視差調整部９４は、被写体Ａ１を表示部６の表示画面と直交する垂直な方向に仮想的に引っ込ませる場合、右目画像ＷＲ１と左目画像ＷＬ１とに含まる被写体Ａ１の視差を小さくすることにより、被写体Ａ１の引っ込み距離を調整する（図８の画像Ｗ２を参照）。
【００４１】
このように、視差調整部９４が合成画像に含まれる被写体の視差を調整し、表示制御部９５が視差調整部９４によって調整された合成画像（図８の画像Ｗ２を参照）または３Ｄ画像（図９の画像Ｗ３を参照）を表示部６に表示させる制御を行う。これにより、ユーザは、表示部６が表示する画像内の被写体の重なり具合を見ながら直感的な操作により被写体の視差を調整することができるうえ、所望の飛び出し距離または引っ込み距離を容易に認識することができる。なお、図７では、視差調整部９４は、右目画像の切出し領域のみ変更しているが、右目画像および左目画像それぞれを同期させながら、右目画像および左目画像それぞれの切出し領域を変更してもよい。
【００４２】
つぎに、本実施の形態に係る表示装置１が行う処理について説明する。図１０は、表示装置１が行う処理の概要を示すフローチャートである。
【００４３】
図１０において、まず、制御部９は、表示装置１の電源がオンになっているか否かを判断する（ステップＳ１０１）。表示装置１の電源がオンになっている場合（ステップＳ１０１：Ｙｅｓ）、表示装置１はステップＳ１０２に移行する。一方、表示装置１の電源がオンになっていない場合（ステップＳ１０１：Ｎｏ）、表示装置１は本処理を終了する。
【００４４】
続いて、制御部９は、表示装置１が撮影モードに設定されているか否かを判断する（ステップＳ１０２）。表示装置１が撮影モードに設定されている場合（ステップＳ１０２：Ｙｅｓ）、表示装置１は後述するステップＳ１０３に移行する。一方、表示装置１が撮影モードに設定されていない場合（ステップＳ１０２：Ｎｏ）、表示装置１は後述するステップＳ１１５に移行する。
【００４５】
まず、表示装置１が撮影モードに設定されている場合（ステップＳ１０２：Ｙｅｓ）について説明する。この場合、表示制御部９５は、撮像部２が一定の微小な時間間隔で連続的に生成する画像データに対応する３Ｄ画像のスルー画を表示部６に表示させる（ステップＳ１０３）。
【００４６】
続いて、制御部９は、ユーザによってレリーズスイッチ４２が操作されて撮影を指示するレリーズ信号が入力されたか否かを判断する（ステップＳ１０４）。撮影を指示するレリーズ信号が入力された場合（ステップＳ１０４：Ｙｅｓ）、表示装置１は後述するステップＳ１１０に移行する。一方、撮影を指示するレリーズ信号が入力されていない場合（ステップＳ１０４：Ｎｏ）、表示装置１は後述するステップＳ１０５に移行する。
【００４７】
まず、撮影を指示するレリーズ信号が入力されていない場合（ステップＳ１０４：Ｎｏ）について説明する。この場合、制御部９は、２Ｄ表示アイコンが選択されたか否かを判断する（ステップＳ１０５）。具体的には、制御部９は、ユーザによって表示部６が表示する画像の中に設けられ、表示部６の表示態様を３Ｄ画像表示から２Ｄ画像表示に切換えを指示する切換信号を入力する２Ｄ表示アイコン（図示せず）が押下されたか否かを判断する。ユーザによって２Ｄ表示アイコンが選択されていない場合（ステップＳ１０５：Ｎｏ）、表示装置１はステップＳ１０３に戻る。一方、ユーザによって２Ｄ表示アイコンが選択された場合（ステップＳ１０５：Ｙｅｓ）、表示装置１はステップＳ１０６に移行する。
【００４８】
ステップＳ１０６において、表示制御部９５は、合成画像生成部９３が生成した２Ｄ画像である合成画像を表示部６に表示させる。具体的には、表示制御部９５は、図８の画像Ｗ２を表示部６に表示させる。この場合、表示制御部９５は、表示部６の視差バリア６３に印加する電圧をオン状態からオフ状態に変化させることにより、視差バリア６３を遮光状態から透過状態に切換える。これにより、ユーザは、表示部６に表示される合成画像を２Ｄ画像として視認することができる。
【００４９】
その後、制御部９は、タッチパネル７の外部からの接触位置に応じた信号が入力されたか否かを判断する（ステップＳ１０７）。外部からの接触位置に応じた信号が入力された場合（ステップＳ１０７：Ｙｅｓ）、表示装置１は、合成画像に含まれる被写体の飛び出し距離または引っ込み距離を調整する視差調整処理を行い（ステップＳ１０８）、表示装置１はステップ１０１に戻る。
【００５０】
これに対して、外部からの接触位置に応じた信号が入力されていない場合（ステップＳ１０７：Ｎｏ）、制御部９は、表示部６が２Ｄ画像を表示してから所定時間経過したか否かを判断する（ステップＳ１０９）。表示部６が２Ｄ画像を表示してから所定時間経過していない場合（ステップＳ１０９：Ｎｏ）、表示装置１はステップＳ１０７に戻る。一方、表示部６が２Ｄ画像を表示してから所定時間経過している場合（ステップＳ１０９：Ｙｅｓ）、表示装置１はステップＳ１０１に戻る。
【００５１】
つぎに、ステップＳ１０４において、ユーザによってレリーズスイッチ４２が操作されて撮影を指示するレリーズ信号が入力された場合（ステップＳ１０４：Ｙｅｓ）について説明する。この場合、撮像部２は、表示部６が現在表示している画像に対して撮影を行い、撮影した画像データを記憶部８の画像データ記憶部８１に記憶する（ステップＳ１１０）。
【００５２】
続いて、表示制御部９５は、撮像部２が撮影した画像データに対応する３Ｄ画像を表示部６にレックビュー表示させる（ステップＳ１１１）。具体的には、図９の画像Ｗ３を表示部６に表示させる。これにより、ユーザは、撮影した画像の奥行き感を確認することができる。
【００５３】
その後、制御部９は、ユーザによってタッチパネル７がタッチされたか否かを判断する（ステップＳ１１２）。ユーザによってタッチパネル７がタッチされた場合（ステップＳ１１２：Ｙｅｓ）、表示制御部９５は、表示部６の表示態様を３Ｄ画像から２次元表示に切換え、合成画像をレックビュー表示する（ステップＳ１１３）。具体的には、表示制御部９５は、合成画像生成部９３が生成した合成画像を表示部６に表示させる。これにより、ユーザは、撮影した画像内に含まれる被写体の視差を容易に視認することができるため、被写体の飛び出す距離または引っ込む距離を直感的に認識することができる。
【００５４】
これに対して、ユーザによってタッチパネル７がタッチされてない場合（ステップＳ１１２：Ｎｏ）、制御部９は、表示部６による撮影した画像のレックビュー表示を行ってから所定時間経過したか否かを判断する（ステップＳ１１４）。制御部９が判断した結果、表示部６による撮影した画像のレックビュー表示を行ってから所定時間経過していない場合（ステップＳ１１４；Ｎｏ）、表示装置１はステップＳ１１２に戻る。一方、制御部９が判断した結果、表示部６による撮影した画像のレックビュー表示を行ってから所定時間経過した場合（ステップＳ１１４：Ｙｅｓ）、表示装置１はステップＳ１０１に戻る。
【００５５】
ここで、ステップＳ１０２において、表示装置１が撮影モードに設定されていない場合（ステップＳ１０２：Ｎｏ）について説明する。この場合、表示装置１は、撮影した画像データを表示部６に表示する再生表示処理を実行し（ステップＳ１１５）、表示装置１はステップＳ１０１に戻る。
【００５６】
つぎに、ステップＳ１０８の視差調整処理について説明する。図１１は、視差調整処理の概要を示すフローチャートである。図１１において、まず、制御部９は、タッチパネル７に接触した物体の軌跡が合成画像内に含まれる被写体の視差を大きくする動作に対応するか否かを判断する（ステップＳ２０１）。タッチパネル７に接触した物体の軌跡が合成画像内に含まれる被写体の視差を大きくする動作に対応する場合（ステップＳ２０１：Ｙｅｓ）、表示装置１は後述するステップＳ２０２に移行する。一方、タッチパネル７に接触した物体の軌跡が合成画像内に含まれる被写体の視差を大きくする動作に対応しない場合（ステップＳ２０１：Ｎｏ）、表示装置１はステップＳ２１１に移行する。
【００５７】
図１２は、ユーザによって合成画像内に含まれる被写体の視差を大きくする動作を説明する図である。図１２に示すように、制御部９は、表示部６が現在表示する画像Ｗ４内において視差を持たない被写体Ａ１の領域で、ユーザが人差し指Ｏ３をタッチパネル７に接触させながら画像Ｗ４の左側から右側に向けて移動させた場合（図１２（ａ）→図１２（ｂ））、この動作を被写体の視差を大きくする動作として判断する。
【００５８】
ステップＳ２０２において、制御部９は、ユーザが人差し指でタッチパネル７に最初に接触した領域に対応する画像内に近被写体が含まれているか否かを判断する。ここで、近被写体とは、ユーザが表示装置１を用いて複数の被写体を撮影する際に撮像部２と被写体との撮影距離が最も近い被写体である（図６を参照）。具体的には、図１２に示すように、ユーザが人差し指Ｏ３でタッチパネル７に最初に接触した領域に対応する画像内に被写体Ａ１が含まれているか否かを判断する。ユーザが人差し指Ｏ３でタッチパネル７に最初に接触した領域に対応する画像内に近被写体が含まれている場合（ステップＳ２０２：Ｙｅｓ）、表示装置１はステップＳ２０３に移行する。
【００５９】
ステップＳ２０３において、制御部９は、表示部６が表示する合成画像に対し、タッチパネル７に接触した物体の軌跡に応じて、視差調整部９４が合成画像に含まれる被写体の視差を調整することにより、被写体の飛び出し距離が視差記憶部８３に記憶された飛び出しの距離の限界値を超えたか否かを判断する。視差調整部９４が設定する被写体の飛び出し距離が飛び出し距離の限界値を超えた場合（ステップＳ２０３：Ｙｅｓ）、視差調整部９４は、合成画像に含まれる被写体の視差が限界値で固定されるように、立体画像生成部９２による右目画像データおよび左目画像データそれぞれの切出し領域を変更し、被写体の飛び出し距離を限界値で調整する（ステップＳ２０４）。
【００６０】
続いて、表示制御部９５は、表示部６が表示する合成画像内に被写体の飛び出し距離が限界値を超えた旨の警告を表示部６に表示させる（ステップＳ２０５）。具体的には、図１３に示すように、表示制御部９５は、画像Ｗ５内に視差が限界である旨をユーザに警告するためのアイコンＱ１を表示部６に表示させる。これにより、ユーザは、被写体の飛び出し距離の限界を知ることができるうえ、鑑賞時に飛び出し過ぎた被写体画像による人間の目の対応限界を超えることを未然に防止することができる。なお、表示制御部９５は、ユーザが誤操作、たとえば被写体の視差を調整する方向が逆向きの場合に警告を表示するようにしてもよい。
【００６１】
その後、ヘッダ情報生成部９６は、視差調整部９４が調整した合成画像に含まれる被写体の視差を右目画像データおよび左目画像データそれぞれのヘッダ情報として記憶する（ステップＳ２０６）。その後、表示装置１は図１０に示すメインルーチンに戻る。
【００６２】
つぎに、ステップＳ２０３において、表示部６が表示する合成画像に対し、タッチパネル７に接触した物体の軌跡に応じて、視差調整部９４が調整する右目画像データおよび左目画像データそれぞれの切出し領域を変更して合成画像に含まれる被写体の視差が視差記憶部８３に記憶された視差の限界値を超えない場合（ステップＳ２０３：Ｎｏ）について説明する。この場合、視差調整部９４は、タッチパネル７に接触した物体の軌跡に応じて、立体画像生成部９２による右目画像データおよび左目画像データそれぞれの切出し領域を変更し、合成画像に含まれる被写体の視差を調整することにより、被写体の飛び出し距離を調整する（ステップＳ２０７）。
【００６３】
その後、表示制御部９５は、表示部６が表示する合成画像内に視差調整部９４が調整した被写体の視差情報を表示させる（ステップＳ２０８）。具体的には、図１４に示すように、表示制御部９５は、画像Ｗ６にアイコンＱ２を表示部６に表示させる。アイコンＱ２は、ユーザに視差調整部９４が調整した被写体の視差情報に対応する被写体の飛び出し距離情報を知らせるためのアイコンである。これにより、ユーザは、操作によって調整した被写体の視差を容易に認識することができる。
【００６４】
つぎに、ステップＳ２０２において、ユーザが人差し指Ｏ３でタッチパネル７に最初に接触した領域に対応する画像内に近被写体が含まれていない場合（ステップＳ２０２：Ｎｏ）について説明する。この場合、視差調整部９４は、タッチパネル７に接触した物体の軌跡に応じて、立体画像生成部９２による右目画像データおよび左目画像データそれぞれの切出し領域を変更し、合成画像に含まれる被写体の視差を調整することにより、被写体の引っ込み距離を調整する（ステップＳ２０９）。
【００６５】
その後、表示制御部９５は、表示部６が表示する合成画像内に視差調整部９４が設定した被写体の視差を表示部６に表示させ（ステップＳ２１０）、表示装置１はステップＳ２０６に移行する。
【００６６】
つぎに、ステップＳ２０１において、タッチパネル７に接触した物体の軌跡が合成画像に含まれる被写体の視差を大きくする動作でない場合（ステップＳ２０１：Ｎｏ）について説明する。この場合、制御部９は、タッチパネル７に接触した物体の軌跡が合成画像に含まれる被写体の視差を小さくする動作であるか否かを判断する（ステップＳ２１１）。タッチパネル７に接触した物体の軌跡が合成画像に含まれる被写体の視差を小さくする動作に対応しない場合（ステップＳ２１１：Ｎｏ）、表示装置１は図１０に示すメインルーチンに戻る。一方、タッチパネル７に接触した物体の軌跡が合成画像に含まれる被写体の視差を小さくする動作に対応する場合（ステップＳ２１１：Ｙｅｓ）、表示装置１はステップＳ２１２に移行する。
【００６７】
図１５は、ユーザによって合成画像内に含まれる被写体の視差を小さくする動作を説明する図である。図１５に示すように、制御部９は、表示部６が現在表示している画像内において視差を持つ被写体の領域で、ユーザが人差し指Ｏ３をタッチパネル７に接触させながら画像Ｗ７の右側から左側に向けて移動させた場合（図１５（ａ）→（図１５（ｂ））、この動作を被写体の視差を小さくする動作として判断する。
【００６８】
ステップＳ２１２において、制御部９は、ユーザが人差し指Ｏ３でタッチパネル７に最初に接触した領域に対応する画像内に近被写体が含まれているか否かを判断する。ユーザが人指し指Ｏ３でタッチパネル７に最初に接触した領域に対応する画像内に近被写体が含まれている場合（ステップＳ２１２：Ｙｅｓ）、視差調整部９４は、タッチパネル７に接触した物体の軌跡に応じて、立体画像生成部９２による右目画像データおよび左画像データそれぞれの切出し領域を変更し、合成画像に含まれる被写体の視差を調整することにより、被写体の引っ込み距離を調整し（ステップＳ２１３）、表示装置１はステップＳ２１４に移行する。
【００６９】
ステップＳ２１４において、表示制御部９５は、表示部６が表示する合成画像内に視差調整部９４が設定した被写体の視差情報に対応する引っ込み距離情報を表示させる。その後、表示装置１はステップＳ２０６に移行する。
【００７０】
つぎに、ステップＳ２１２において、ユーザが人指し指Ｏ３でタッチパネル７に最初に接触した領域に対応する画像内に近被写体が含まれていない場合（ステップＳ２１２：Ｎｏ）について説明する。この場合、制御部９は、表示部６が表示する合成画像に対し、タッチパネル７に接触した物体の軌跡に応じて、視差調整部９４が調整する合成画像に含まれる被写体の視差が視差記憶部８３に記憶された視差の限界値を超えたか否かを判断する（ステップＳ２１５）。視差調整部９４が調整する合成画像に含まれる被写体の視差が視差記憶部８３に記載された視差の限界値を超えた場合（ステップＳ２１５：Ｙｅｓ）、視差調整部９４は、合成画像に含まれる被写体の視差を限界値で固定し、立体画像生成部９２による右目画像データおよび左目画像データそれぞれの切出し領域を変更して合成画像に含まれる被写体の視差を調整することにより、被写体の飛び出し距離を限界値で調整する（ステップＳ２１６）。
【００７１】
続いて、表示制御部９５は、表示部６が表示する合成画像内に被写体の視差が限界値である旨の警告を表示部６に表示させ（ステップＳ２１７）、表示装置１はステップＳ２０６に移行する。
【００７２】
つぎに、ステップＳ２１５において、表示部６が表示する合成画像に対し、タッチパネル７に接触した物体の軌跡に応じて、視差調整部９４が調整する合成画像に含まれる被写体の視差が視差記憶部８３に記憶された視差の限界値を超えない場合（ステップＳ２１５：Ｎｏ）について説明する。この場合、視差調整部９４は、タッチパネル７に接触した物体の軌跡に応じて、立体画像生成部９２による右目画像データおよび左目画像データそれぞれの切出し領域を変更し、合成画像に含まれる被写体の視差を調整することにより、被写体の飛び出し距離を調整し（ステップＳ２１８）、表示装置１はステップＳ２１９に移行する。
【００７３】
ステップＳ２１９において、表示制御部９５は、表示部６が表示する合成画像内に視差調整部９４が設定した被写体の飛び出し距離を表示部６に表示させ、表示装置１はステップＳ２０６に移行する。
【００７４】
つぎに、図１０のステップＳ１１５の再生表示処理について説明する。図１６は、再生表示処理の概要を示すフローチャートである。図１６において、まず、表示制御部９５は、画像データ記憶部８１に記憶された複数の画像をまとめて表示した画像選択画面を表示部６に表示させる（ステップＳ３０１）。
【００７５】
続いて、制御部９は、ユーザがタッチパネル７を操作することによって表示部６が表示する画像選択画面の中から画像が選択されたか否かを判断する（ステップＳ３０２）。ユーザによって画像選択画面の中から画像が選択された場合（ステップＳ３０２：Ｙｅｓ）、表示装置１は後述するステップＳ３０３に移行する。一方、ユーザによって画像選択画面の中から画像が選択されない場合（ステップＳ３０２：Ｎｏ）、表示装置１は後述するステップＳ３１０に移行する。
【００７６】
まず、ユーザによって画像選択画面の中から画像が選択された場合（ステップＳ３０２：Ｙｅｓ）について説明する。この場合、表示制御部９５は、ユーザによって選択された３Ｄ画像を表示部６に全面画面表示させ（ステップＳ３０３）、表示装置１はステップＳ３０４に移行する。
【００７７】
続いて、制御部９は、ユーザによって２Ｄ表示アイコンが選択されたか否かを判断する（ステップＳ３０４）。ユーザによって２Ｄ表示アイコンが選択されていない場合（ステップＳ３０４：Ｎｏ）、表示装置１はステップＳ３０８に移行する。一方、ユーザによって２Ｄ表示アイコンが選択された場合（ステップＳ３０４：Ｙｅｓ）、表示装置１はステップＳ３０５に移行する。
【００７８】
ステップＳ３０５において、表示制御部９５は、その時点で表示部６によって表示されている３Ｄ画像に対応する右目画像データと左目画像データとを用いて合成画像生成部９３が生成した合成画像を表示部６に表示させる。
【００７９】
続いて、制御部９は、タッチパネル７の外部からの接触位置に応じた信号が入力されたか否かを判断する（ステップＳ３０６）。タッチパネル７の外部からの接触位置に応じた信号が入力された場合（ステップＳ３０６：Ｙｅｓ）、表示装置１は、図１１を参照して説明した合成画像に含まれる被写体の視差を調整する視差調整処理を行い（ステップＳ３０７）、画像再生の終了操作が行われていない場合（ステップＳ３０８：Ｎｏ）、表示装置１はステップＳ３０１に戻る。一方、画像再生の終了操作が行われた場合（ステップＳ３０８：Ｙｅｓ）、表示装置１はメインルーチンに戻る。
【００８０】
つぎに、ステップＳ３０６において、タッチパネル７の外部からの接触位置に応じた信号が入力されていない場合（ステップＳ３０６：Ｎｏ）、制御部９は、表示部６が合成画像を表示してから所定時間経過したか否かを判断する（ステップＳ３０９）。表示部６が合成画像を表示してから所定時間経過していない場合（ステップＳ３０９：Ｎｏ）、表示装置１はステップＳ３０５に戻る。一方、表示部６が合成画像を表示してから所定時間経過している場合（ステップＳ３０９：Ｙｅｓ）、表示装置１はステップＳ３０８に移行する。
【００８１】
つぎに、ステップＳ３０２において、ユーザによって画像選択画面の中から画像が選択されていない場合（ステップＳ３０２：Ｎｏ）、制御部９は、分類画像生成部９７が生成した分類画像を表示させる視差管理信号を入力する視差管理アイコンが選択されたか否かを判断する（ステップＳ３１０）。具体的には、制御部９は、ユーザによって画像選択画面と合わせて表示される視差管理アイコン（図示せず）が選択されたか否かを判断する。視差管理アイコンが選択されていない場合（ステップＳ３１０：Ｎｏ）、表示装置１はステップＳ３０８に移行する。一方、視差管理アイコンが選択された場合（ステップＳ３１０：Ｙｅｓ）、表示装置１はステップＳ３１１に移行する。
【００８２】
ステップＳ３１１において、表示制御部９５は、分類画像生成部９７が生成した分類画像を表示部６に表示させる。具体的には、図１７に示すように、表示制御部９５は、分類画像生成部９７が生成した複数の画像データを視差ごとにまとめて分類した分類画像Ｗ８を２Ｄ画像で表示部６に表示させる。分類画像Ｗ８のアイコンＱ３は、分類画像の視差情報を示すアイコンでる。これにより、ユーザは、過去に表示部６や他の表示モニタ等で表示させた際の記憶に基づいて、どのような画像が飛び出し感または引っ込み感を持っていたかを判断することができる。この結果、ユーザは、表示装置１を用いて次回撮影を行う際に、他の表示モニタの大きさ等を考慮して撮影することができる。
【００８３】
ステップＳ３１２において、制御部９は、ユーザによって切換スイッチ４３が操作され、表示部６が現在表示している分類画像を変更させる指示信号が入力されたか否かを判断する。分類画像を変更させる指示信号が入力された場合（ステップＳ３１２：Ｙｅｓ）、表示制御部９５は、表示部６が表示する分類画像の変更を行い（ステップＳ３１３）、表示装置１はステップＳ３１１に戻る。一方、分類画像を変更させる指示信号が入力されていない場合（ステップＳ３１２：Ｎｏ）、表示装置１はステップＳ３０８に移行する。
【００８４】
以上説明した本実施の形態では、視差調整部９４が表示部６によって表示される合成画像に対し、タッチパネル７に接触した物体の軌跡に応じて立体画像生成部９２によって生成される右目画像データおよび左目画像それぞれの切出し領域を変更して合成画像に含まれる被写体の視差を調整し、表示制御部９５が視差調整部９４によって調整された合成画像を表示部６に表示させる制御を行う。この結果、ユーザは、表示部６が表示する画像を見ながら直感的な操作により３Ｄ画像の変化量を調整することができる。さらに、合成画像生成部９３が左目画像および右目画像それぞれの画像領域内でピントが合った近被写体を基準にした合成画像を生成する。このため、ユーザは、合成画像に含まれる近被写体の視差が小さい状態から３Ｄ画像の変化量の調整を開始することができる。
【００８５】
なお、本実施の形態では、視差調整部９４は、タッチパネル７における外部からの２つの物体の軌跡に応じて、２つの画像データの切出し領域を変更して合成画像に含まれる被写体の視差を調整してもよい。具体的には、図１８に示すように、視差調整部９４は、ユーザの人差し指Ｏ３と親指Ｏ４との軌跡に応じて、画像Ｗ９に含まれる被写体Ａ１の視差を調整してもよい。この場合、まず、制御部９は、人差し指Ｏ３と親指Ｏ４とがそれぞれ最初にタッチパネル７に接触した位置と動作があった後のタッチパネル７の位置とを比較することにより、開く動作（視差を大きくする動作に対応）または閉じる動作（視差を小さくする動作に対応）に対応するか否かを判断する。その後、視差調整部９４は、開く動作に対応する場合、合成画像に含まれる被写体の視差を大きくする（図１８（ａ）→図１８（ｂ））。これに対して、視差調整部９４は、閉じる動作に対応する場合、合成画像に含まれる被写体の視差を小さくする。これにより、上述した実施の形態と同様の作用効果を得ることができる。また、操作の範囲の制限があってもよい。さらに、飛び出しすぎの操作を禁止したり、図１５の（ａ），（ｂ）のように、遠近何れかの２画像が一致するまでの範囲に動きを制限したりしてもよい。さらにまた、２画像の左右の関係が矛盾する動作を禁止してもよい。
【００８６】
また、上述した本実施の形態では、撮像部２が互いの視野の左右方向の一端部同士が重なりを有する２つの画像データを生成していたが、たとえば、一つの撮像部のみを有する構成とし、この撮像部で連続的に撮影することにより、互いの視野の左右方向の一端部同士が重なりを有する２つの画像データを生成するようにしてもよい。
【００８７】
また、上述した本実施の形態では、視差調整部９４は、撮影モードの際に、タッチパネル７における外部からの軌跡に応じて、立体画像生成部９２が生成する右目画像データおよび左目画像データそれぞれの切出し領域を変更して合成画像に含まれる被写体の視差を調整していたが、たとえば、レンズ駆動部２１ｂ，２２ｂをそれぞれ同期させながら駆動し、第１撮像部２１および第２撮像部２２それぞれの視野領域を変更することにより、合成画像に含まれる被写体の視差を調整するようにしてもよい。
【００８８】
また、上述した本実施の形態では、視差調整部９４は、表示部６が表示するスルー画像または画像データ記憶部８１に記憶された画像データに対して本処理を行っていたが、たとえば撮影直後に表示部６がレックビュー表示する画像に対して本処理を行ってもよい。
【００８９】
また、上述した本実施の形態では、表示部６は、パララックバリア方式であったが、ユーザが３Ｄ画像を立体視することができればよく、たとえばレンティキュラ方式であってもよい。
【００９０】
また、上述した本実施の形態では、表示装置１をデジタルステレオカメラとして説明していたが、たとえばデジタルビデオカメラ、カメラ付き携帯電話等の撮影機能および表示機能を備えた各種電子機器に適用することができる。
【符号の説明】
【００９１】
１                表示装置
２                撮像部
３                姿勢検出部
４                操作入力部
５                時計
６                表示部
７                タッチパネル
８                記憶部
９                制御部
２１              第１撮像部
２１ａ，２２ａ    レンズ部
２１ｂ，２２ｂ    レンズ駆動部
２１ｃ，２２ｃ    絞り
２１ｄ，２２ｄ    絞り駆動部
２１ｅ，２２ｅ    シャッタ
２１ｆ，２２ｆ    シャッタ駆動部
２１ｇ，２２ｇ    撮像素子
２１ｈ，２２ｈ    信号処理部
２２              第２撮像部
４１              電源スイッチ
４２              レリーズスイッチ
４３              切換スイッチ
４４              ズームスイッチ
６１              バックライト
６２              表示パネル
６３              視差バリア
８１              画像データ記憶部
８２              プログラム記憶部
８３              視差記憶部
９１              画像処理部
９２              立体画像生成部
９３              合成画像生成部
９４              視差調整部
９５              表示制御部
９６              ヘッダ情報生成部
９７              分類画像生成部
Ｌ１，Ｌ２        光軸
Ｏ１              右目
Ｏ２              左目
Ｏ３              人差し指
Ｏ４              親指
【図１】
0005675197.tif 000002
【図２】
0005675197.tif 000003
【図３】
0005675197.tif 000004
【図４】
0005675197.tif 000005
【図５】
0005675197.tif 000006
【図６】
0005675197.tif 000007
【図７】
0005675197.tif 000008
【図８】
0005675197.tif 000009
【図９】
0005675197.tif 000010
【図１０】
0005675197.tif 000011
【図１１】
0005675197.tif 000012
【図１２】
0005675197.tif 000013
【図１３】
0005675197.tif 000014
【図１４】
0005675197.tif 000015
【図１５】
0005675197.tif 000016
【図１６】
0005675197.tif 000017
【図１７】
0005675197.tif 000018
【図１８】
0005675197.tif 000019